(57)【要約】      （修正有）【課題】ボックスパレットにネームプレートを安価なコストで取り付け、取付られたネームプレートによって騒音を発生させることのないネームプレート取付装置を提供する。【解決手段】線材間に渡されているネームプレート３１と、ネームプレート３１の両縁部を対応する線材に取り付けるための複数の金具４１とよりなる。各金具４１は、断面Ｕ字状クランプ板７１と、クランプ板７１のＵ字のなす一方の開口縁部に連なる平坦状取付板７２とよりなる。線材に対するクランプ板７１の半径方向の移動によって、クランプ板７１の開口縁部が線材の半径方向外側を通過して、線材に嵌め外し自在である。ネームプレート３１の各縁部において、取付板７２を表面側に向けかつクランプ板７１の開口縁部をネームプレート３１中央に向けた状態で、クランプ板７１が対応する線材に嵌められかつ同取付板７２がネームプレート３１に裏面側から重ね合わされうるようになされている。【選択図】図２
0003180212.tif 000002
【実用新案登録請求の範囲】
【請求項１】
側壁が、縦および横の線材によって格子状に組まれているボックスパレットにおいて、１つの線材およびこれと間隔をおいて平行にのびている別の線材に渡されているネームプレートと、ネームプレートの両縁部を対応する線材に取り付けるための複数の金具とよりなり、各金具は、断面Ｕ字状クランプ板と、クランプ板のＵ字のなす一方の開口縁部に連なる平坦状取付板とよりなり、線材に対するクランプ板半径方向の移動によって、クランプ板の開口縁部が線材の半径方向外側を通過して、線材に嵌め外し自在であり、ネームプレートの各縁部において、取付板を表面側に向けかつクランプ板の開口縁部をネームプレート中央に向けた状態で、クランプ板が対応する線材に嵌められかつ同取付板がネームプレートに裏面側から重ね合わされうるようになされているネームプレート取付装置。
【請求項２】
ネームプレートおよび取付板の重ね合わされた部分にリベット孔が１つずつ同心状にあけられており、両リベット孔にリベットの棒状部が差し込まれ、その棒状部の先端部がつぶされている請求項１のネームプレート取付装置。
【請求項３】
金具は、弾性材料によって一体成型されており、クランプ板は、Ｕ字のなす対向状部を有しており、金具自由状態で、対向状部の最大幅が、線材の外径より小であり、対向状部の最大幅より、クランプ板の開口幅が小である請求項１または２のネームプレート取付装置。
【考案の詳細な説明】
【技術分野】
【０００１】
この考案は、例えば、野菜等の農産物品を搬送するために用いられるボックスパレットに、その内容物を表示するためのネームプレートを取付けるためのネームプレート取付装置に関する。
【背景技術】
【０００２】
この種のボックスパレットにネームプレートを取り付ける場合、以下の３つの技術が知られている。
【０００３】
第１に、ボックスパレットの側壁を構成している線材に、ネームプレートを溶接によって固定していた。この場合、溶接前に、線材の塗装を剥がし、溶接の後、溶接カ所の塗装塗り直しが必要であるため、溶接の技能が必要であることに加えて、作業全体の時間が長くかかるという欠点があった。
【０００４】
第２は、線材に片側から嵌合可能であるＵ字状部を長さの中程に有する帯板製金具を用いて、ネームプレートを線材に固定するやり方である。線材の表側にネームプレートをあてがうとともに、その裏側から金具のＵ字状部によって線材を抱きかかえて、Ｕ字状部の両側部分をネームプレートに重ね合わせ、重ね合わせた２カ所の部分をリベットによって固定していた。１つの金具をネームプレートに固定するために、２つのリベットを必要とし、リベットそのものの費用と、それらのリベットの固定作業にかかる費用が高くついた。
【０００５】
第３は、上記の金具とは別の金具を用いるものである。この別の金具は、取付作業前は帯状平板をなしている。取付作業に際し、線材をその表裏両側から挟んで金具を２つ折りにして、金具の長さの中央部分で線材を抱きかかえるるとともに、金具の両端部を線材の半径方向外側に食み出させて重ね合わせ、この重ね合わせた部分を、さらにネームプレートに重ね合わせ、この重ね合わせた３者をリベットによって締め付けるようにしていた。この場合、必要なリベットの数は１つで済む。しかしながら、線材を金具によって抱きかかえる作業は手作業で行うため、線材をきつく締め付けることは困難である。そのため、金具とともにネームプレートが自由に移動し、ネームプレートの移動による騒音が発生した。
【考案の概要】
【考案が解決しようとする課題】
【０００６】
この考案の目的は、上記問題点を解消し、ボックスパレットにネームプレートを安価なコストで取り付けることができ、しかも、取付の後、ネームプレートによって騒音を発生させることのないネームプレート取付装置を提供することにある。
【課題を解決するための手段】
【０００７】
この考案によるネームプレート取付装置は、側壁が、縦および横の線材によって格子状に組まれているボックスパレットにおいて、１つの線材およびこれと間隔をおいて平行にのびている別の線材に渡されているネームプレートと、ネームプレートの両縁部を対応する線材に取り付けるための複数の金具とよりなり、各金具は、断面Ｕ字状クランプ板と、クランプ板のＵ字のなす一方の開口縁部に連なる平坦状取付板とよりなり、線材に対するクランプ板半径方向の移動によって、クランプ板の開口縁部が線材の半径方向外側を通過して、線材に嵌め外し自在であり、ネームプレートの各縁部において、取付板を表面側に向けかつクランプ板の開口縁部をネームプレート中央に向けた状態で、クランプ板が対応する線材に嵌められかつ同取付板がネームプレートに裏面側から重ね合わされうるようになされているものである。
【０００８】
この考案によるネームプレート取付装置では、線材に対してネームプレートを位置決した状態で、ネームプレートおよび金具の取付板の重ね合わされた部分を、溶接作業でなく、１つのリベットによって固定することが可能である。線材に対する金具の結合は、クランプ板によって行われる。金具の成形に際し、クランプ板が線材にそって移動できない程度に線材をきつく締め付けるようにクランプ板を成形しておくことは容易である。したがって、ネームプレートの移動による騒音の発生を防止することができる。
【０００９】
さらに、ネームプレートおよび取付板の重ね合わされた部分にリベット孔が１つずつ同心状にあけられており、両リベット孔にリベットの棒状部が差し込まれ、その棒状部の先端部がつぶされていることが好ましい。
【００１０】
また、金具は、弾性材料によって一体成型されており、クランプ板は、Ｕ字のなす対向板状部を有しており、金具自由状態で、対向状部の最大幅が、線材の外径より小であり、対向状部の最大幅より、クランプ板の開口幅が小であると、金具を一体成型によって、安価に製造することができる。
【考案の効果】
【００１１】
この考案によれば、ボックスパレットにネームプレートを安価なコストで取り付けることができ、しかも、取付の後、ネームプレートによって騒音を発生させることのないネームプレート取付装置が提供される。
【図面の簡単な説明】
【００１２】
【図１】この考案によるネームプレート取付装置を備えたボックスパレットの斜視図である。
【図２】同ボックスパレットに取付られたネームプレートの一部および金具の分解斜視図である。
【図３】同ネームプレートおよび金具の取付状態を示す水平断面図である。
【考案を実施するための形態】
【００１３】
以下の説明において、前後とは、図１の矢印Aで示す側を前、これと反対側を後といい、左右とは、前方から見て、左右の側を左右というものとする。
【００１４】
ボックスパレット11は、前側壁21、後側壁22、左側壁23および右側壁24を備えている。前側壁21の中央上縁寄りのところに左右に長い方形状ネームプレート31が取付られている。この取付は、ネームプレート31のほぼ四隅にそれぞれ備えられた４つの金具41による。４つの金具41は、同一構造のものである。
【００１５】
前側壁21は、中折れ式のもので、複数ずつの縦線材51および横線材52によって格子状に組まれて構成されているものである。
【００１６】
ネームプレート31は、１つの縦線材51およびこれと間隔をおいて平行にのびている別の縦線材51に渡されている。ネームプレート31の金具対応４カ所には第１リベット孔61がそれぞれ形成されている（図２参照）。
【００１７】
以下、４つの金具41のうち、前方から見て、ネームプレート31の右縁部上側の金具41およびその周辺部を詳細に説明する。
【００１８】
金具41は、弾性鋼板によって一体成型されたもので、縦線材51をクランプしている断面Ｕ字状クランプ板71と、クランプ板71のＵ字のなす一方の表側開口縁部に連なりかつネームプレート31の裏側に重ねられている平板状取付板72とよりなる。クランプ板71は、Ｕ字のなす底にあたる半円弧状屈曲部81と、屈曲部81の両端にそれぞれ連なって間隔をおいて対向させられているＵ字のなす対向状部82、83とよりなる。一方の対向状部83の先端には折曲ガイド縁84が設けられている。取付板72には、第１リベット孔61と合致させられた第２リベット孔62が形成されている。
【００１９】
リベット91は、棒状部92と、棒状部92の基端部に連なる頭部93とよりなる。第１リベット孔61および第２リベット孔62にリベット91の棒状部92が差し込まれ、その棒状部92の先端部がつぶされて、係止部94が形成されており、これにより、ネームプレート31および金具41が固定されている。
【００２０】
取付前の金具41の自由状態では、縦線材51の外径Dより、対向状部82、83の間隙最大幅Wは小であり、かつ、同間隙最大幅Wより、クランプ板71の開口幅Cが小となっている。リベット91によって固定される前は、クランプ板71の縦線材51に対する半径方向の移動によって、クランプ板71の開口縁部が縦線材51の半径方向外側を通過して、縦線材51に嵌め外し自在である。
【００２１】
ボックスパレット11に対するネームプレート31の取付に際し、あらかじめ、ネームプレート31の左右いずれかの縁部に２つの金具41をリベット91によって固定し、ネームプレート31を、取付けるべき縦線材51に前側からあてがって、左右いずれかかの方向にネームプレート31をスライドさせて同２つの金具41のクランプ板71を縦線材51にクランプさせておく。残りの縁部に金具41を固定する際は、残りの２つの金具41のクランプ板71を、先に、対応する縦線材51にクランプさせる。そうすると、第１リベット孔61および第２リベット孔62が合致させられることになる。後は、同ネームプレート31縁部および金具41をリベット91によって固定すればよい。
【００２２】
上記において、ネームプレート31は前側壁21に取付られているが、他の側壁22〜24に取付られていてもよい。
【００２３】
また、ネームプレート31は、前側壁21の縦線材51に取付られている。これに代わり、ネームプレート31は、いずれかの側壁21〜24の横線材52に取付られていてもよい。
【産業上の利用可能性】
【００２４】
この考案によるネームプレート取付装置は、例えば、野菜等の農産物品を搬送するために用いられるボックスパレットに、その内容物を表示するためのネームプレートを取付けることを達成するのに適している。
【符号の説明】
【００２５】
11  ボックスパレット
21  側壁
31  ネームプレート
41  金具
51、52  線材
71  クランプ板
72  取付板
【図１】
0003180212.tif 000003
【図２】
0003180212.tif 000004
【図３】
0003180212.tif 000005